(57)【要約】【課題】所定条件が満たされた場合に、開口部が開いた状態で保持部により保持されている収納袋への紙葉類の追加投入や当該収納袋からの紙葉類の取り出しを行うことができる紙葉類収納装置および紙葉類収納方法を提供する。【解決手段】紙葉類収納装置（例えば、紙幣処理機１０）は、紙幣収納袋３４の開口部が開いた状態または紙幣収納袋３４の開口部が封止された状態で収納袋を保持する保持部（例えば、各保持部材３６）と、保持部により保持されている紙幣収納袋３４へのアクセスを選択的に規制する規制手段６０と、所定条件が満たされた場合に、開口部が開いた状態で保持部により保持されている紙幣収納袋３４へのアクセスを許容するよう規制手段６０を制御する制御部５０とを備えている。【選択図】図１
2018045618.tif 000002
【特許請求の範囲】
【請求項１】
収納袋の開口部が開いた状態または収納袋の開口部が封止された状態で収納袋を保持する保持部と、
前記保持部により保持されている収納袋の開口部を封止する封止部と、
前記保持部により保持されている収納袋へのアクセスを選択的に規制する規制手段と、
所定条件が満たされた場合に、開口部が開いた状態で前記保持部により保持されている収納袋へのアクセスを許容するよう前記規制手段を制御する制御部と、
を備えた、紙葉類収納装置。
【請求項２】
筐体と、
少なくとも前記保持部が設けられ、前記筐体の内部から外部に引き出される引出部と、
を更に備え、
前記規制手段は、前記引出部を前記筐体の外部へ引き出すことを規制するロック部を含み、
前記制御部は、所定条件が満たされた場合に、前記引出部を前記筐体の外部へ引き出すことを許容するよう前記ロック部を制御する、請求項１記載の紙葉類収納装置。
【請求項３】
筐体と、
少なくとも前記保持部が設けられ、前記筐体の内部から外部に引き出される引出部と、
前記筐体に設けられ、前記引出部を前記筐体の内部から外部に引き出す際に開かれる扉と、
を更に備え、
前記規制手段は、前記扉を閉状態でロックする扉ロック部を含み、
前記制御部は、所定条件が満たされた場合に、前記扉を閉状態とするロックを解除するよう前記扉ロック部を制御する、請求項１記載の紙葉類収納装置。
【請求項４】
前記規制手段は、前記保持部により保持されている収納袋の開口部と筐体の外部との間の連通路を開閉する開閉部を含み、
前記制御部は、所定条件が満たされた場合に、前記保持部により保持されている収納袋の開口部と前記筐体の外部との間の連通路を開くよう前記開閉部を制御する、請求項１記載の紙葉類収納装置。
【請求項５】
紙葉類を筐体の内部に取り込む取込部と、
前記取込部により前記筐体の内部に取り込まれた紙葉類を搬送する搬送部と、
前記搬送部により搬送される紙葉類の識別を行う識別部と、
を備え、
前記制御部は、所定条件が満たされた場合に、前記取込部、前記搬送部および前記識別部を経ずに前記保持部により保持されている収納袋に紙葉類を入れることを許容するよう前記規制手段を制御する、請求項１乃至４のいずれか一項に記載の紙葉類収納装置。
【請求項６】
前記制御部は、前記取込部、前記搬送部および前記識別部を経ずに前記保持部により保持されている収納袋に紙葉類を入れるという指令が入力されたときに所定条件が満たされたと判断するようになっている、請求項５記載の紙葉類収納装置。
【請求項７】
前記取込部、前記搬送部および前記識別部を経ずに前記保持部により保持されている収納袋に紙葉類を入れるという指示を与えるための指示部が設けられており、
前記指示部が操作されたときに、前記取込部、前記搬送部および前記識別部を経ずに前記保持部により保持されている収納袋に紙葉類を入れるという指令が前記制御部に入力されるようになっている、請求項６記載の紙葉類収納装置。
【請求項８】
前記取込部、前記搬送部および前記識別部を経ずに前記保持部により保持されている収納袋に入れられる紙葉類の情報を入力するための入力部を更に備えた、請求項５乃至７のいずれか一項に記載の紙葉類収納装置。
【請求項９】
前記制御部において、前記取込部、前記搬送部および前記識別部を経ずに前記保持部により保持されている収納袋に入れられる紙葉類の情報は、前記取込部、前記搬送部および前記識別部を経て前記保持部により保持されている収納袋に入れられる紙葉類と区別して管理されるようになっている、請求項５乃至８のいずれか一項に記載の紙葉類収納装置。
【請求項１０】
操作者の権限の認証を行う認証部を更に備え、
前記制御部は、前記認証部により認証された操作者の権限が所定の権限であるときに所定条件が満たされたと判断するようになっている、請求項１乃至５のいずれか一項に記載の紙葉類収納装置。
【請求項１１】
前記保持部は複数設けられており、各前記保持部により保持されている収納袋の各々に対応して所定条件が設定されており、
前記制御部は、各前記保持部により保持されている収納袋の各々について、それぞれ、当該収納袋に対応する所定条件が満たされた場合に、開口部が開いた状態で前記保持部により保持されている当該収納袋へのアクセスを許容するよう前記規制手段を制御するようになっている、請求項１乃至１０のいずれか一項に記載の紙葉類収納装置。
【請求項１２】
前記封止部は、開口部が開いた状態で前記保持部により保持されている収納袋へのアクセスが許容された場合には、当該収納袋へのアクセスが許容されない場合と異なる態様で収納袋の開口部を封止させるようになっている、請求項１乃至１１のいずれか一項に記載の紙葉類収納装置。
【請求項１３】
収納袋の開口部が開いた状態または収納袋の開口部が封止された状態で収納袋を保持する保持部、および前記保持部により保持されている収納袋の開口部を封止する封止部を有する紙葉類収納装置による紙葉類収納方法であって、
前記保持部により保持されている収納袋へのアクセスを規制しながら、開口部が開いた状態で前記保持部により保持されている収納袋に紙葉類を収納させる工程と、
収納袋が前記紙葉類収納装置から取り出される際に、前記保持部により保持されている収納袋の開口部を前記封止部により封止する工程と、
所定条件が満たされた場合に、開口部が開いた状態で前記保持部により保持されている収納袋へのアクセスを許容する工程と、
を備えた、紙葉類収納方法。
【請求項１４】
前記紙葉類収納装置は、紙葉類を筐体の内部に取り込む取込部、前記取込部により筐体の内部に取り込まれた紙葉類を搬送する搬送部、および前記搬送部により搬送される紙葉類の識別を行う識別部を更に有しており、
開口部が開いた状態で前記保持部により保持されている収納袋に紙葉類を収納させる工程において、前記取込部、前記搬送部および前記識別部を経て前記保持部により保持されている収納袋に紙葉類が入れられるようになっており、
所定条件が満たされた場合に、前記取込部、前記搬送部および前記識別部を経ずに前記保持部により保持されている収納袋に紙葉類を入れることを許容するようになっている、請求項１３記載の紙葉類収納方法。
【発明の詳細な説明】
【技術分野】
【０００１】
本発明は、紙幣等の紙葉類をパウチ袋等の収納袋に収納させる紙葉類収納装置および紙葉類収納方法に関する。
【背景技術】
【０００２】
紙幣等の紙葉類を収納する紙葉類収納装置において、機体内に取り込まれた紙葉類をパウチ袋等の収納袋に収納させるようなタイプのものが従来から用いられている。このような紙葉類収納装置として、例えば特許文献１等に開示されるものが従来から知られている。特許文献１によれば、このような紙葉類収納装置は、例えばスーパーマーケット等の店舗におけるバックヤード領域に設置される現金出納装置の一部として用いられるようになっており、当該現金出納装置は、フロント領域に設けられた現金精算装置へ装填するための釣銭準備金としての貨幣を出金したり、現金精算装置から回収した売上金としての貨幣を入金したりするようになっている。また、このような現金出納装置において、警送会社の警備員等により回収されるべき紙幣はパウチ袋等の収納袋に収納されるようになっている。
【先行技術文献】
【特許文献】
【０００３】
【特許文献１】特開２０１４−１７４５８１号公報
【発明の概要】
【発明が解決しようとする課題】
【０００４】
特許文献１等に開示されるような紙葉類収納装置が設けられている従来の現金精算装置では、取込部により機体内に取り込まれ、識別部により識別された紙幣がパウチ袋等の収納袋に収納されるようになっている。また、パウチ袋等の収納袋を警送会社の警備員等が回収する際に、収納袋の開口部が封止部により自動的に封止されるようになっている。これに対し、保持部により開口部が開いた状態で保持されている収納袋に、取込部や搬送部、識別部を経ることなく紙幣や小切手等の紙葉類を直接入れるような手装填を行いたいという要望が従来からあったが、従来の現金精算装置ではこのような紙葉類の追加投入を行うことができないという問題があった。
【０００５】
本発明は、このような点を考慮してなされたものであり、所定条件が満たされた場合に、開口部が開いた状態で保持部により保持されている収納袋への紙葉類の追加投入や当該収納袋からの紙葉類の取り出しを行うことができる紙葉類収納装置および紙葉類収納方法を提供することを目的とする。
【課題を解決するための手段】
【０００６】
本発明の紙葉類収納装置は、収納袋の開口部が開いた状態または収納袋の開口部が封止された状態で収納袋を保持する保持部と、前記保持部により保持されている収納袋の開口部を封止する封止部と、前記保持部により保持されている収納袋へのアクセスを選択的に規制する規制手段と、所定条件が満たされた場合に、開口部が開いた状態で前記保持部により保持されている収納袋へのアクセスを許容するよう前記規制手段を制御する制御部と、を備えたことを特徴とする。
【０００７】
このような紙葉類収納装置によれば、所定条件が満たされた場合に、開口部が開いた状態で保持部により保持されている収納袋へのアクセスを許容することにより、開口部が開いた状態で保持部により保持されている収納袋への紙葉類の追加投入や当該収納袋からの紙葉類の取り出しを行うことができる。
【０００８】
本発明の紙葉類収納装置は、筐体と、少なくとも前記保持部が設けられ、前記筐体の内部から外部に引き出される引出部と、を更に備え、前記規制手段は、前記引出部を前記筐体の外部へ引き出すことを規制するロック部を含み、前記制御部は、所定条件が満たされた場合に、前記引出部を前記筐体の外部へ引き出すことを許容するよう前記ロック部を制御するようになっていてもよい。
【０００９】
あるいは、本発明の紙葉類収納装置は、筐体と、少なくとも前記保持部が設けられ、前記筐体の内部から外部に引き出される引出部と、前記筐体に設けられ、前記引出部を前記筐体の内部から外部に引き出す際に開かれる扉と、を更に備え、前記規制手段は、前記扉を閉状態でロックする扉ロック部を含み、前記制御部は、所定条件が満たされた場合に、前記扉を閉状態とするロックを解除するよう前記扉ロック部を制御するようになっていてもよい。
【００１０】
また、本発明の紙葉類収納装置においては、前記規制手段は、前記保持部により保持されている収納袋の開口部と筐体の外部との間の連通路を開閉する開閉部を含み、前記制御部は、所定条件が満たされた場合に、前記保持部により保持されている収納袋の開口部と前記筐体の外部との間の連通路を開くよう前記開閉部を制御するようになっていてもよい。
【００１１】
本発明の紙葉類収納装置は、紙葉類を筐体の内部に取り込む取込部と、前記取込部により前記筐体の内部に取り込まれた紙葉類を搬送する搬送部と、前記搬送部により搬送される紙葉類の識別を行う識別部と、を備え、前記制御部は、所定条件が満たされた場合に、前記取込部、前記搬送部および前記識別部を経ずに前記保持部により保持されている収納袋に紙葉類を入れることを許容するよう前記規制手段を制御するようになっていてもよい。
【００１２】
この場合、前記制御部は、前記取込部、前記搬送部および前記識別部を経ずに前記保持部により保持されている収納袋に紙葉類を入れるという指令が入力されたときに所定条件が満たされたと判断するようになっていてもよい。
【００１３】
また、前記取込部、前記搬送部および前記識別部を経ずに前記保持部により保持されている収納袋に紙葉類を入れるという指示を与えるための指示部が設けられており、前記指示部が操作されたときに、前記取込部、前記搬送部および前記識別部を経ずに前記保持部により保持されている収納袋に紙葉類を入れるという指令が前記制御部に入力されるようになっていてもよい。
【００１４】
また、本発明の紙葉類収納装置は、前記取込部、前記搬送部および前記識別部を経ずに前記保持部により保持されている収納袋に入れられる紙葉類の情報を入力するための入力部を更に備えていてもよい。
【００１５】
また、前記制御部において、前記取込部、前記搬送部および前記識別部を経ずに前記保持部により保持されている収納袋に入れられる紙葉類の情報は、前記取込部、前記搬送部および前記識別部を経て前記保持部により保持されている収納袋に入れられる紙葉類と区別して管理されるようになっていてもよい。
【００１６】
本発明の紙葉類収納装置は、操作者の権限の認証を行う認証部を更に備え、前記制御部は、前記認証部により認証された操作者の権限が所定の権限であるときに所定条件が満たされたと判断するようになっていてもよい。
【００１７】
本発明の紙葉類収納装置においては、前記保持部は複数設けられており、各前記保持部により保持されている収納袋の各々に対応して所定条件が設定されており、前記制御部は、各前記保持部により保持されている収納袋の各々について、それぞれ、当該収納袋に対応する所定条件が満たされた場合に、開口部が開いた状態で前記保持部により保持されている当該収納袋へのアクセスを許容するよう前記規制手段を制御するようになっていてもよい。
【００１８】
本発明の紙葉類収納装置においては、前記封止部は、開口部が開いた状態で前記保持部により保持されている収納袋へのアクセスが許容された場合には、当該収納袋へのアクセスが許容されない場合と異なる態様で収納袋の開口部を封止させるようになっていてもよい。
【００１９】
本発明の紙葉類収納方法は、収納袋の開口部が開いた状態または収納袋の開口部が封止された状態で収納袋を保持する保持部、および前記保持部により保持されている収納袋の開口部を封止する封止部を有する紙葉類収納装置による紙葉類収納方法であって、前記保持部により保持されている収納袋へのアクセスを規制しながら、開口部が開いた状態で前記保持部により保持されている収納袋に紙葉類を収納させる工程と、収納袋が前記紙葉類収納装置から取り出される際に、前記保持部により保持されている収納袋の開口部を前記封止部により封止する工程と、所定条件が満たされた場合に、開口部が開いた状態で前記保持部により保持されている収納袋へのアクセスを許容する工程と、を備えたことを特徴とする。
【００２０】
このような紙葉類収納方法によれば、所定条件が満たされた場合に、開口部が開いた状態で保持部により保持されている収納袋へのアクセスを許容することにより、開口部が開いた状態で保持部により保持されている収納袋への紙葉類の追加投入や当該収納袋からの紙葉類の取り出しを行うことができる。
【００２１】
本発明の紙葉類収納方法においては、前記紙葉類収納装置は、紙葉類を筐体の内部に取り込む取込部、前記取込部により筐体の内部に取り込まれた紙葉類を搬送する搬送部、および前記搬送部により搬送される紙葉類の識別を行う識別部を更に有しており、開口部が開いた状態で前記保持部により保持されている収納袋に紙葉類を収納させる工程において、前記取込部、前記搬送部および前記識別部を経て前記保持部により保持されている収納袋に紙葉類が入れられるようになっており、所定条件が満たされた場合に、前記取込部、前記搬送部および前記識別部を経ずに前記保持部により保持されている収納袋に紙葉類を入れることを許容するようになっていてもよい。
【発明の効果】
【００２２】
本発明の紙葉類収納装置および紙葉類収納方法によれば、所定条件が満たされた場合に、開口部が開いた状態で保持部により保持されている収納袋への紙葉類の追加投入や当該収納袋からの紙葉類の取り出しを行うことができる。
【図面の簡単な説明】
【００２３】
【図１】本発明の実施の形態による紙幣処理機の構成の一例を示す概略構成図である。
【図２】図１に示す紙幣処理機における紙幣収納機構の構成の詳細を示す側面図である。
【図３】図２に示す紙幣収納機構における一対の保持部材等の構成を示す斜視図である。
【図４】図２等に示す紙幣収納機構において各保持部材により保持されるべき紙幣収納袋の構成を示す斜視図である。
【図５】図１に示す紙幣処理機の下部ユニットのＡ−Ａ矢視による内部構成図である。
【図６】図５に示す状態から下部ユニットが筐体の前面から前方に引き出されたときの状態を示す内部構成図である。
【図７】図１等に示す紙幣処理機の制御系の構成を示す機能ブロック図である。
【図８】本発明に係る他の構成の紙幣入金機の外観を示す斜視図である。
【図９】図８に示す紙幣入金機の内部構成を示す側面図である。
【図１０】図８等に示す紙幣入金機の制御系の構成を示す機能ブロック図である。
【発明を実施するための形態】
【００２４】
以下、図面を参照して本発明の実施の形態について説明する。図１乃至図７は、本実施の形態に係る紙幣処理機を示す図である。このうち、図１は、本実施の形態による紙幣処理機の構成の一例を示す概略構成図であり、図２は、図１に示す紙幣処理機における紙幣収納機構の構成の詳細を示す側面図である。また、図３は、図２に示す紙幣収納機構における一対の保持部材等の構成を示す斜視図であり、図４は、図２等に示す紙幣収納機構において各保持部材により保持されるべき紙幣収納袋の構成を示す斜視図である。また、図５は、図１に示す紙幣処理機の下部ユニットのＡ−Ａ矢視による内部構成図であり、図６は、図５に示す状態から下部ユニットが筐体の前面から前方に引き出されたときの状態を示す内部構成図である。また、図７は、図１等に示す紙幣処理機の制御系の構成を示す機能ブロック図である。
【００２５】
本実施の形態による紙幣処理機１０は、概してスーパーマーケット等の店舗のフロント領域やバックヤード領域、あるいは銀行ロビーや銀行の内部に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２６】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。
【００２７】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００２８】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００２９】
図１に示すように、本実施の形態では、下部ユニット１６には、一方に開口部が設けられたパウチ袋等の紙幣収納袋３４の内部に紙幣を収納させるための紙幣収納機構３２が複数（例えば、２つ）設けられている。各紙幣収納機構３２には、それぞれ、一対の保持部材３６が互いに対向するよう離間して設けられており、紙幣収納袋３４の開口部の近傍における互いに対向する２つの箇所が各保持部材３６によりそれぞれ保持されるようになっている。ここで、ある保持部材３６（具体的には、例えば図１や図２における右側の保持部材３６）はその位置が固定されているのに対し、別の保持部材３６（具体的には、例えば図１や図２における左側の保持部材３６）は位置固定の保持部材３６に向かって移動することができるようになっている。また、図２に示すように、各保持部材３６にはそれぞれ加熱部材３８が設けられている。そして、紙幣収納機構３２において各保持部材３６により保持された紙幣収納袋３４に所定量の紙幣が収納された後、当該紙幣収納袋３４が紙幣収納機構３２から取り出される前に、一方の保持部材３６が他方の保持部材３６に向かって移動してこれらの保持部材３６が互いに接合した状態で、加熱部材３８によって紙幣収納袋３４の開口部の近傍の箇所に熱が与えられることにより当該紙幣収納袋３４の開口部はヒートシール（熱封止）されるようになっている。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接合するようになっていてもよい。
【００３０】
また、上部ユニット１４において、搬送部２４からは各紙幣収納機構３２に対応して複数（図１に示す例では２つ）の分岐搬送部２５が分岐しており、搬送部２４から分岐搬送部２５に分岐させられた紙幣が当該分岐搬送部２５から各紙幣収納機構３２に装着された紙幣収納袋３４に送られて当該紙幣収納袋３４に収納されるようになっている。
【００３１】
次に、本実施の形態における紙幣収納機構３２の構成の詳細について図２乃至図４を用いて説明する。図２は、紙幣収納機構３２の構成の詳細を示す側面図であり、図３は、図２に示す紙幣収納機構３２における一対の保持部材３６等の構成を示す斜視図であり、図４は、図２等に示す紙幣収納機構３２において各保持部材３６により保持されるパウチ袋等の紙幣収納袋３４の構成を示す斜視図である。
【００３２】
図２に示すように、紙幣収納機構３２には、上部ユニット１４の分岐搬送部２５から下部ユニット１６に送られた紙幣を一対の保持部材３６により保持されている紙幣収納袋３４に送るための紙幣送り出し部４８と、紙幣送り出し部４８から送られた紙幣が一時的に保留される一時保留部４４と、一対の保持部材３６により保持されている紙幣収納袋３４の底部が載置されるステージ４０とがそれぞれ設けられている。
【００３３】
図２に示すように、紙幣送り出し部４８は、ローラやベルトを組み合わせたものからなり、上部ユニット１４の分岐搬送部２５から下部ユニット１６に送られた紙幣を１枚ずつ一時保留部４４上に送って当該一時保留部４４上に集積させるようになっている。また、一時保留部４４は左右一対のものからなり、各一時保留部４４の基端部分に設けられた軸４４ａを中心として各一時保留部４４は下方（すなわち、図２における矢印方向）にそれぞれ回転することができるようになっている。また、ステージ４０は左右一対のものからなり、各ステージ４０は図２における上下方向および左右方向にそれぞれ移動可能となっている。また、一対のステージ４０の間には隙間が形成されており、保持部材３６により保持される紙幣収納袋３４の一部はこの隙間を通って各ステージ４０から下方に延びるようになっている。なお、各ステージ４０は電動アクチュエータ等のステージ駆動部４１（図７参照）により駆動されるようになっている。
【００３４】
また、図２に示すように、各ステージ４０にはそれぞれ加熱部材４２が設けられている。そして、当該紙幣収納袋３４が紙幣収納機構３２から取り出される前に、一方のステージ４０（例えば、図２における左側のステージ４０）が他方のステージ４０（例えば、図２における右側のステージ４０）に向かって移動してこれらのステージ４０が互いに接合した状態で、加熱部材４２によって紙幣収納袋３４の底部近傍の箇所に熱が与えられることにより当該紙幣収納袋３４の底部がヒートシール（熱封止）されるようになっている。なお、紙幣収納機構３２において、一対のステージ４０のうちある１つのステージ４０が他のステージ４０に向かって移動する代わりに、両方のステージ４０がそれぞれ他のステージ４０に向かって中央位置まで移動してこれらのステージ４０が中央位置で互いに接合するようになっていてもよい。
【００３５】
また、図３に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接合させられるようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、当該左側の保持部材３６は右側の保持部材３６に向かって移動させられるようになる。
【００３６】
また、図３に示すように、左右一対の保持部材３６の上面には２つのピン３６ａが設けられている。ここで、図４に示すように、各保持部材３６により保持されるべき紙幣収納袋３４の開口部の近傍の箇所（すなわち、紙幣収納袋３４の上端部）には、それぞれ２つの孔３４ｂが設けられた一対の突出部３４ａが設けられており、紙幣収納袋３４が各保持部材３６により保持される際に、紙幣収納袋３４の各突出部３４ａに設けられた各孔３４ｂに各保持部材３６の各ピン３６ａが通されることにより、これらの突出部３４ａが各保持部材３６により保持されるようになっている。
【００３７】
また、一対の一時保留部４４の上方には押し込み板４６が設けられている。当該押し込み板４６にはパンタグラフ４７（図７参照、図２では図示せず）が設けられており、このパンタグラフ４７が図２における上下方向に伸縮することによって押し込み板４６は図２において矢印で示す範囲を上下方向に移動することができるようになっている。図２に示すように、このような押し込み板４６が下方に移動することによって、各一時保留部４４に一時的に保留されている紙幣が紙幣収納袋３４に収納される際に、各一時保留部４４に保留されている紙幣を紙幣収納袋３４に向かって押し込むことができるようになる。
【００３８】
また、図２に示すように、一対の保持部材３６のうち左側の保持部材３６の下方には片寄せレバー３９が設けられており、当該片寄せレバー３９により、一対の保持部材３６により保持されている紙幣収納袋３４に収納された紙幣が当該紙幣収納袋３４内で片側（具体的には、図２における右側）に寄せられるようになっている。より詳細には、片寄せレバー３９はパンタグラフや電動アクチュエータ等からなる片寄せレバー駆動部３９ａ（図７参照）により図２に示す状態から右側に移動させられるようになっている。
【００３９】
また、本実施の形態の紙幣処理機１０では、上述したように、筐体１２の内部には、上部ユニット１４および下部ユニット１６がそれぞれ当該筐体１２の前面から前方（具体的には、図１における左方向）に引き出し可能となるよう収容されている。ここで、筐体１２の内部に収容されている下部ユニット１６を当該筐体１２の前面から前方に引き出すときの動作について図５および図６を用いて説明する。
【００４０】
図５および図６に示すように、筐体１２の前面下部には、下部ユニット１６を筐体１２の内部から外部に引き出す際に開かれる扉１２ａが設けられている。また、本実施の形態の紙幣処理機１０には、扉１２ａを閉状態でロックする扉ロック部６４（図７参照）が設けられている。ここで、本実施の形態では、所定の権限を有する者のみが扉ロック部６４による扉１２ａのロックを解除して当該扉１２ａを開くことができるようになっている。
【００４１】
紙幣が収納され、開口部が加熱部材３８によりヒートシール（熱封止）されている紙幣収納袋３４を紙幣処理機１０から回収する際に、操作者はまず図５に示すように扉ロック部６４による扉１２ａのロックを解除して当該扉１２ａを開く。次に、図６に示すように下部ユニット１６を筐体１２の前面から前方に引き出すと、操作者は紙幣収納機構３２の各保持部材３６から紙幣収納袋３４を取り外して下部ユニット１６から回収することができるようになる。
【００４２】
また、図５および図６に示すように、本実施の形態の紙幣処理機１０には、下部ユニット１６を筐体１２の外部に引き出すことを規制するロック部６２が設けられている。ロック部６２は、保持部材３６に保持された紙幣収納袋３４に筐体１２の外部からアクセスできない程度に、下部ユニット１６の引き出しを規制するものであればよい。例えば、ロック部６２は、下部ユニット１６が筐体１２の内部に納まった状態で保持されるように、下部ユニット１６を筐体１２の内部でロックするものとしてもよい。ここで、ロック部６２により下部ユニット１６が筐体１２の内部でロックされている場合には、扉１２ａを開いても筐体１２の内部に収容されている下部ユニット１６を当該筐体１２の前面から前方に引き出すことができないようになっている。
【００４３】
本実施の形態では、このようなロック部６２や扉ロック部６４により、各保持部材３６により保持されている紙幣収納袋３４へのアクセスを選択的に規制する規制手段６０（図７参照）が構成されている。このような規制手段６０の機能の詳細については後述する。
【００４４】
また、本実施の形態の紙幣処理機１０には、当該紙幣処理機１０の各構成部材の制御を行う制御部５０が設けられている。より詳細には、図７に示すように、制御部５０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、紙幣収納機構３２（具体的には、パンタグラフ３７、加熱部材３８、片寄せレバー駆動部３９ａ、ステージ駆動部４１、加熱部材４２、一時保留部４４、パンタグラフ４７および紙幣送り出し部４８）等がそれぞれ接続されている。そして、識別部２６による紙幣の識別結果に係る信号が制御部５０に送られるとともに、制御部５０は紙幣処理機１０の各構成部材に指令信号を送ることによりこれらの構成部材の動作を制御するようになっている。
【００４５】
また、図７に示すように、制御部５０には操作表示部５２、カードリーダ５３、記憶部５４、印字部５６および通信インターフェース部５８がそれぞれ接続されている。図１に示すように、操作表示部５２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部５２に表示されるようになっている。また、操作者は操作表示部５２を操作することにより制御部５０に対して様々な指令を与えることができるようになっている。また、カードリーダ５３は操作者が所持するＩＤカードを読み取るようになっており、このことにより操作者の権限の認証が行われるようになっている。また、記憶部５４には、紙幣処理機１０における紙幣の入金処理等の処理履歴や、各紙幣収納袋３４に収納されている紙幣の在高等に関する情報が記憶されるようになっている。また、印字部５６は、紙幣処理機１０における紙幣の入金処理等の処理履歴や、各紙幣収納袋３４に収納されている紙幣の在高等に関する情報をレシート等に印字するようになっている。また、制御部５０は通信インターフェース部５８を介して本実施の形態による紙幣処理機１０とは別に設けられた外部装置（具体的には、例えば上位端末）に対して信号の送受信を行うことができるようになっている。具体的には、制御部５０は通信インターフェース部５８を介して記憶部５４に記憶されている情報を紙幣処理機１０とは別に設けられた外部装置に送信することができるようになっている。例えば、警送会社の警備員等が紙幣収納袋３４ごと紙幣を回収する際に、回収された紙幣に関する情報が制御部５０から通信インターフェース部５８を介して警送会社のコンピュータ等に送信されるようになっている。
【００４６】
また、図７に示すように制御部５０には規制手段６０が接続されている。規制手段６０は、例えばロック部６２や扉ロック部６４から構成されており、各保持部材３６により保持されている紙幣収納袋３４へのアクセスを選択的に規制するようになっている。具体的には、規制手段６０がロック部６２である場合には、当該ロック部６２により下部ユニット１６が筐体１２の内部でロックされることによって、各保持部材３６により保持されている紙幣収納袋３４へのアクセスが規制されるようになる。また、規制手段６０が扉ロック部６４である場合には、当該扉ロック部６４により扉１２ａが閉状態にロックされることによって、各保持部材３６により保持されている紙幣収納袋３４へのアクセスが規制されるようになる。また、本実施の形態では、制御部５０は、所定条件が満たされた場合に、開口部が開いた状態で各保持部材３６により保持されている紙幣収納袋３４へのアクセスを許容するよう規制手段６０を制御するようになっている。より詳細には、制御部５０は、所定条件が満たされた場合に、投入部２０、搬送部２４および識別部２６を経ずに各保持部材３６により保持されている紙幣収納袋３４に紙幣を直接入れることを許容するよう規制手段６０を制御するようになっている。具体的には、規制手段６０がロック部６２である場合には、所定条件が満たされると、ロック部６２による筐体１２の内部での下部ユニット１６のロック状態が解除され、当該下部ユニット１６を筐体１２の前面から前方に引き出すことができるようになる。また、規制手段６０が扉ロック部６４である場合には、所定条件が満たされると、扉ロック部６４による扉１２ａのロックが解除され、当該扉１２ａを開くことができるようになる。なお、本実施の形態では、規制手段６０はロック部６２および扉ロック部６４の両方を含むものであってもよく、あるいはロック部６２および扉ロック部６４のうちいずれか一方のものから構成されるものであってもよい。後者の場合には、ロック部６２および扉ロック部６４のうち一方のものの設置が省略され、他方のもののみが規制手段６０として紙幣処理機１０に設置されるようになっていてもよい。
【００４７】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００４８】
まず、紙幣処理機１０において紙幣の入金処理を行う際の動作について説明する。操作者が投入部２０に紙幣を投入した後、操作表示部５２により入金処理開始の指令を制御部５０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。一方、識別部２６により正常な紙幣であると識別された紙幣は収納繰出部３０に送られ、当該収納繰出部３０に一時的に収納されるようになる。また、収納繰出部３０に一時的に収納された紙幣の金種毎の枚数や総額が操作表示部５２に表示される。操作者がその表示内容を確認し、入金処理の承認操作を行うと、収納繰出部３０から紙幣が１枚ずつ搬送部２４に繰り出され、 搬送部２４から分岐搬送部２５に分岐させられ、当該分岐搬送部２５から紙幣収納袋３４に送られ、この紙幣収納袋３４に収納されるようになる。
【００４９】
また、識別部２６により識別された紙幣が送られるべき紙幣収納袋３４がフル状態またはニアフル状態となっており、紙幣収納袋３４に紙幣を収納させることができない場合には、収納繰出部３０を、フル状態またはニアフル状態が解消されるまでの紙幣の収納部として用いてもよい。具体的には、識別部２６により識別された紙幣は収納繰出部３０に送られ、当該収納繰出部３０に収納されるようになっている。そして、フル状態またはニアフル状態となっている紙幣収納袋３４が警送会社の警備員等によって下部ユニット１６の紙幣収納機構３２から取り出され、空の紙幣収納袋３４が紙幣収納機構３２に装着されると、収納繰出部３０から紙幣が１枚ずつ搬送部２４に繰り出されて当該搬送部２４により紙幣収納袋３４に送られるようになる。
【００５０】
次に、紙幣収納機構３２において、上部ユニット１４の分岐搬送部２５から下部ユニット１６に送られた紙幣を一対の保持部材３６により保持されている紙幣収納袋３４に収納させる際の動作について説明する。
【００５１】
上部ユニット１４の分岐搬送部２５から下部ユニット１６に送られた紙幣は紙幣送り出し部４８により左右一対の一時保留部４４上に送られ、これらの一時保留部４４上に集積される。そして、所定の枚数の紙幣が各一時保留部４４上に集積されると、各一時保留部４４はその基端部分に設けられた軸４４ａを中心としてそれぞれ下方（すなわち、図２における矢印方向）に回転し、各一時保留部４４上に集積されている紙幣は自重によりこれらの一時保留部４４から落下して紙幣収納袋３４に収納されるようになる。また、各一時保留部４４から紙幣が落下して紙幣収納袋３４に収納されると、各ステージ４０がステージ駆動部４１により下方に移動させられ、次に各一時保留部４４から紙幣収納袋３４に送られる紙幣の収納空間が当該紙幣収納袋３４の内部に形成されるようになる。また、本実施の形態では、制御部５０は、各保持部材３６により保持される紙幣収納袋３４の内部に紙幣を送って当該紙幣収納袋３４に紙幣を収納させる際に、一時保留部４４に保留される紙幣を押し込み板４６により紙幣収納袋３４の内部に押し込むようパンタグラフ４７を制御するようになっている。このことにより、各一時保留部４４に紙幣が残留した場合でも、このような残留している紙幣を各一時保留部４４から落下させて紙幣収納袋３４に収納させることができるようになる。
【００５２】
また、制御部５０は、各保持部材３６により保持される紙幣収納袋３４の内部に紙幣が収納され、各ステージ４０が下方に移動させられた後に、当該紙幣収納袋３４の内部に押し込み板４６を進入させてこの紙幣収納袋３４内に集積されている紙幣を介して当該紙幣収納袋３４の底部を各ステージ４０に向かって押圧させるようパンタグラフ４７を制御するようになっていてもよい。この場合には、押し込み板４６によって紙幣収納袋３４の内部に紙幣を押し込むことにより、紙幣収納袋３４の内部に積層状態で集積されている紙幣が集積方向に圧縮されるため、紙幣収納袋３４の内部に積層状態で収納されている紙幣が崩れてしまうことを抑制することができるようになる。
【００５３】
次に、紙幣処理機１０において紙幣の回収処理を行う際の動作について説明する。警送会社の警備員等が、紙幣が収納されている紙幣収納袋３４を紙幣処理機１０から回収するにあたり、当該警備員はまず所持するＩＤカードをカードリーダ５３により読み取らせる。カードリーダ５３により警備員のＩＤカードが読み取られ、当該警備員の権限の認証が行われると、各々の紙幣収納機構３２において各保持部材３６により保持されている紙幣収納袋３４の開口部が各加熱部材３８によりヒートシール（熱封止）される。そして、紙幣収納袋３４の開口部が封止された後、扉ロック部６４による扉１２ａのロックが解除されたり、ロック部６２による筐体１２の内部での下部ユニット１６のロックが解除されたりするようになる。このことにより、警備員は図５に示すように扉１２ａを開いた後、図６に示すように下部ユニット１６を筐体１２の前面から前方に引き出すことにより、各々の紙幣収納機構３２において各保持部材３６により保持されている紙幣収納袋３４を下部ユニット１６から取り出して回収することができるようになる。
【００５４】
また、本実施の形態の紙幣処理機１０では、紙幣収納機構３２の各保持部材３６により保持されている紙幣収納袋３４に、投入部２０や搬送部２４、識別部２６を経ずに紙幣等を直接投入したり当該紙幣収納袋３４から紙幣等を取り出したりすることができるようになっている。具体的には、開口部が開いた状態で紙幣収納機構３２の各保持部材３６に紙幣収納袋３４が保持されているときに、図５に示すように筐体１２の前面下部に設けられている扉１２ａを開いた後、図６に示すように下部ユニット１６を筐体１２の前面から前方に引き出すと、紙幣収納袋３４に紙幣や紙幣以外の紙葉類（例えば、上部ユニット１４で処理することができないクーポン券や商品券、小切手、外国の紙幣等）を直接投入したり当該紙幣収納袋３４から紙幣等を取り出したりすることができるようになる。
【００５５】
より詳細に説明すると、本実施の形態では、所定の条件が満たされたと制御部５０により判断された場合には、ロック部６２や扉ロック部６４から構成される規制手段６０による紙幣収納袋３４へのアクセスの規制が解除され、紙幣収納機構３２において開口部が開いた状態で各保持部材３６により保持されている紙幣収納袋３４へのアクセスが許容されるようになる。ここで、「所定の条件」としては様々な条件が予め設定されており、例えば、操作者の権限（具体的には、カードリーダ５３により読み取られた操作者のＩＤカードの情報）、外部情報（具体的には、外部装置から通信インターフェース部５８を介して制御部５０に送られた情報）、内部情報（具体的には、操作者によって操作表示部５２により入力された情報）等に基づいて、各保持部材３６により保持されている紙幣収納袋３４の開口部が各加熱部材３８により自動的に封止されるか否かが決められるようになっている。このような動作の詳細について以下に説明する。
【００５６】
例えば、操作者によって操作表示部５２により「上部ユニット１４（具体的には、投入部２０、搬送部２４および識別部２６）を経ずに紙幣収納機構３２の各保持部材３６により保持されている紙幣収納袋３４に紙幣等の紙葉類を直接投入する」という指示が与えられたり、外部装置から通信インターフェース部５８を介して制御部５０にこのような指示に係る信号が送信されたりすることにより、「上部ユニット１４を経ずに紙幣収納機構３２の各保持部材３６により保持されている紙幣収納袋３４に紙幣等の紙葉類を直接投入する」という指令が制御部５０に入力された場合に、制御部５０は所定の条件が満たされたと判断するようになる。具体的には、例えば操作表示部５２の待機画面において追加投入ボタンが表示されるようになっており、この追加投入ボタンが操作者により押下されると、「上部ユニット１４を経ずに紙幣収納機構３２の各保持部材３６により保持されている紙幣収納袋３４に紙幣等の紙葉類を直接投入する」という指示が与えられるようになる。そして、所定の条件が満たされたと制御部５０により判断された場合には、ロック部６２や扉ロック部６４から構成される規制手段６０による紙幣収納袋３４へのアクセスの規制が解除されることにより、操作者は扉１２ａを開いて下部ユニット１６を筐体１２の前面から前方に引き出すことができるようになるため、紙幣収納機構３２において開口部が開いた状態で各保持部材３６により保持されている紙幣収納袋３４に紙幣や紙幣以外の紙葉類を直接投入することができるようになる。このことにより、紙幣収納機構３２において開口部が開いた状態で各保持部材３６により保持されている紙幣収納袋３４に紙幣を追加投入したい場合や、上部ユニット１４で処理することができない紙幣以外の紙葉類（具体的には、クーポン券や商品券、小切手、外国の紙幣等）を紙幣収納袋３４に投入したい場合に、上部ユニット１４の投入部２０、搬送部２４および識別部２６を経ずに紙幣収納袋３４に紙幣等の紙葉類を投入することができるようになる。一方、「上部ユニット１４を経ずに紙幣収納機構３２の各保持部材３６により保持されている紙幣収納袋３４に紙幣等の紙葉類を直接投入する」という指令が制御部５０に入力されなかった場合には、紙幣収納袋３４へのアクセスが規制手段６０により規制され、各保持部材３６により保持されている紙幣収納袋３４の開口部を各加熱部材３８により封止する前に当該紙幣収納袋３４に紙幣等の紙葉類を直接投入することができなくなる。
【００５７】
また、上部ユニット１４の投入部２０、搬送部２４および識別部２６を経ずに紙幣収納袋３４に紙幣等の紙葉類が直接投入された場合に、操作者はこの紙葉類の情報を操作表示部５２により入力することができるようになっている。このことにより、上部ユニット１４を経ずに紙幣収納袋３４に直接投入された紙葉類の情報についても制御部５０で管理することができるようになる。また、この場合、制御部５０において、投入部２０、搬送部２４および識別部２６を経ずに紙幣収納袋３４に直接投入される紙葉類の情報が、投入部２０、搬送部２４および識別部２６を経て紙幣収納袋３４に入れられる紙幣の情報と区別して管理されるようになっている。具体的には、投入部２０、搬送部２４および識別部２６を経ずに紙幣収納袋３４に直接投入される紙葉類の情報、および投入部２０、搬送部２４および識別部２６を経て紙幣収納袋３４に入れられる紙幣の情報がそれぞれ区別可能に記憶部５４に記憶されるようになる。このことにより、紙幣収納機構３２において開口部が開いた状態で各保持部材３６により保持されている紙幣収納袋３４に追加投入された紙幣等の紙葉類の情報のみを例えば操作表示部５２に表示させることにより操作者は当該情報を認識することができるようになる。
【００５８】
また、本実施の形態では、所定条件が満たされることにより開口部が開いた状態で各保持部材３６により保持されている紙幣収納袋３４へのアクセスが許容された場合には、操作者は操作表示部５２により紙幣収納袋３４の開口部の封止動作の指令を制御部５０に入力することができるようになっている。このように、操作者によって紙幣収納袋３４の開口部の封止動作の指令が制御部５０に入力されるまでは、上部ユニット１４の投入部２０、搬送部２４および識別部２６を経ずに紙幣収納袋３４に紙幣等の紙葉類を直接投入することができるようになる。また、所定条件が満たされることにより開口部が開いた状態で各保持部材３６により保持されている紙幣収納袋３４へのアクセスが許容されている場合において、カードリーダ５３により警送会社の警備員のＩＤカードが読み取られ、当該警備員の権限の認証が行われた場合にも、各保持部材３６により保持されている紙幣収納袋３４の開口部が各加熱部材３８により封止され、当該紙幣収納袋３４が回収可能な状態となる。
【００５９】
また、本実施の形態では、カードリーダ５３によって読み取られたＩＤカードに基づいて認証された操作者の権限が所定の権限（例えば、店舗のマネージャーや店長等）である場合に、制御部５０は所定の条件が満たされたと判断するようになっていてもよい。この場合には、操作者の権限が例えば店舗のマネージャーや店長等であるときに、このようなマネージャーや店長等は扉１２ａを開いて下部ユニット１６を筐体１２の前面から前方に引き出すことができるようになり、このことによりマネージャーや店長等は紙幣収納機構３２において開口部が開いた状態で各保持部材３６により保持されている紙幣収納袋３４に紙幣や紙幣以外の紙葉類を直接投入したり当該紙幣収納袋３４から紙幣等を取り出したりすることができるようになる。一方、カードリーダ５３によって読み取られたＩＤカードに基づいて認証された操作者の権限が一般の店員等である場合には、所定の条件が満たされていないため、このような一般の店員等は紙幣収納機構３２において開口部が開いた状態で各保持部材３６により保持されている紙幣収納袋３４にアクセスすることができない。このことにより、悪意ある店員等によって紙幣収納袋３４から紙幣が抜き取られてしまうことを防止することができるようになる。
【００６０】
また、本実施の形態では、操作者は操作表示部５２によりその場限りの時限パスワード（ワンタイムパスワード）を入力するようになっていてもよい。この場合には、操作者によって操作表示部５２により入力された時限パスワードが正しい場合に、制御部５０は所定の条件が満たされたと判断するようになる。また、更に他の例として、複数の操作者がそれぞれ所持するＩＤカードをカードリーダ５３により読み取らせ、複数の操作者の権限がそれぞれ予め設定されている所定の権限の組み合わせである場合に、制御部５０は所定の条件が満たされたと判断するようになっていてもよい。具体的には、例えば店舗のマネージャーや店長と、警送会社の警備員とがそれぞれ所持するＩＤカードをカードリーダ５３により読み取らせた場合においてのみ、制御部５０は所定の条件が満たされたと判断するようになっていてもよい。この場合には、権限が異なる複数の操作者が紙幣処理機１０を操作した場合においてのみ、紙幣収納機構３２において開口部が開いた状態で各保持部材３６により保持されている紙幣収納袋３４にアクセスすることができるようになり、防盗性をより一層向上させることができるようになる。
【００６１】
また、本実施の形態では、各紙幣収納機構３２において、開口部が開いた状態で各保持部材３６により保持されている紙幣収納袋３４へのアクセスが許容された場合には、当該紙幣収納袋３４へのアクセスが許容されていない場合と異なる態様で各加熱部材３８により紙幣収納袋３４の開口部が封止されるようになっている。具体的には、開口部が開いた状態で各保持部材３６により保持されている紙幣収納袋３４へのアクセスが許容された場合には、各加熱部材３８により紙幣収納袋３４の開口部が封止される際に、特定の文字や印が封止箇所の近傍に形成されたり、複数の箇所で紙幣収納袋３４の開口部が封止されたりするようになっている。この場合には、警送会社の警備員等は、紙幣処理機１０の下部ユニット１６から紙幣収納袋３４を回収する際に、当該紙幣収納袋３４に紙幣等の紙葉類の追加投入が行われたりこの紙幣収納袋３４から紙幣が取り出されたりした可能性があることを容易に認識することができるようになる。また、他の例として、開口部が開いた状態で各保持部材３６により保持されている紙幣収納袋３４へのアクセスが許容され、上部ユニット１４を経ることなくこの紙幣収納袋３４に直接投入された紙幣等の紙葉類の情報が操作者によって操作表示部５２により入力された場合には、各加熱部材３８により紙幣収納袋３４の開口部が封止される際に、紙幣収納袋３４に紙幣等の紙葉類が直接投入された旨を示す文字や印が封止箇所の近傍に形成されるようになっていてもよい。
【００６２】
また、各加熱部材３８により紙幣収納袋３４の開口部が封止される際に、図示しない印字部によりバーコードや二次元コード等のコードが紙幣収納袋３４の開口部の近傍に印字されるようになっていてもよい。この場合に、開口部が開いた状態で各保持部材３６により保持されている紙幣収納袋３４へのアクセスが許容された場合に、紙幣収納袋３４へのアクセスが許容された旨の情報を、紙幣収納袋３４に印字されるコードに係る情報に含めるようにしてもよい。あるいは、上部ユニット１４を経ることなくこの紙幣収納袋３４に直接投入された紙幣等の紙葉類の情報が操作者によって操作表示部５２により入力された場合には、紙幣収納袋３４に投入された紙葉類の情報を、紙幣収納袋３４に印字されるコードに係る情報に含めるようにしてもよい。
【００６３】
また、各紙幣収納機構３２において、開口部が開いた状態で各保持部材３６により保持されている紙幣収納袋３４へのアクセスが許容された場合に、各加熱部材３８により開口部が封止されていない紙幣収納袋３４が各保持部材３６から取り外された場合には、操作表示部５２に警告メッセージが表示されたり、警告音が発せられたりするようになっていてもよい。この場合には、各保持部材３６により保持されている紙幣収納袋３４へのアクセスが許容された場合に、悪意ある第三者によって下部ユニット１６から紙幣収納袋３４が持ち去られてしまうことを防止することができるようになる。
【００６４】
また、本実施の形態による紙幣処理機１０では紙幣収納機構３２が２つ設けられており、各々の紙幣収納機構３２における各保持部材３６によりそれぞれ紙幣収納袋３４が保持されるようになるが、一方の紙幣収納機構３２に対応する紙幣収納袋３４に対して店舗側の権限を割り当てるとともに両方の紙幣収納機構３２に対応する紙幣収納袋３４に対して警送会社側の権限を割り当てるようにしてもよい。この場合には、各保持部材３６により保持されている２つの紙幣収納袋３４の各々に対応して所定条件が設定されるようになる。より詳細には、カードリーダ５３によって読み取られたＩＤカードに基づいて認証された操作者の権限が例えば店舗のマネージャーや店長等である場合に、店舗側の権限が割り当てられている紙幣収納袋３４のみについて規制手段６０によるアクセスの規制が解除される。このことにより、店舗のマネージャーや店長等は、店舗側の権限が割り当てられている紙幣収納袋３４にアクセスするという指令を操作表示部５２により入力すると、扉１２ａを開いて下部ユニット１６を筐体１２の前面から前方に引き出すことにより、店舗側の権限が割り当てられている紙幣収納袋３４に紙幣等を直接投入したり当該紙幣収納袋３４から紙幣等を取り出したりすることができるようになる。このことにより、店舗のマネージャーや店長等は、紙幣収納袋３４から取り出された紙幣を、ＰＯＳレジスタに設けられている貨幣釣銭機に釣銭準備金として入金したり、ＡＴＭ（現金自動預け払い機）に補充したりすることができるようになる。また、紙幣処理機１０において紙幣収納袋３４に紙幣以外の紙葉類（例えば、商品券や小切手、クーポン券等）が収納された場合には、店舗のマネージャーや店長等は、紙幣収納袋３４からこのような紙葉類を取り出して目視にて確認することができるようになる。また、カードリーダ５３によって読み取られたＩＤカードに基づいて認証された操作者の権限が例えば店舗のマネージャーや店長等である場合において、店舗側の権限が割り当てられている紙幣収納袋３４にアクセスするという指令を当該操作者が操作表示部５２により入力したときに、警送会社側の権限が割り当てられている紙幣収納袋３４の開口部が各加熱部材３８により自動で封止される。このことにより、店舗のマネージャーや店長等は、警送会社側の権限が割り当てられている紙幣収納袋３４から紙幣を取り出すことができなくなる。
【００６５】
また、カードリーダ５３によって読み取られたＩＤカードに基づいて認証された操作者の権限が例えば警送会社の警備員である場合には、全ての紙幣収納袋３４について規制手段６０によるアクセスの規制が解除される。このことにより、紙幣収納袋３４にアクセスするという指令を警送会社の警備員が操作表示部５２により入力すると、扉１２ａを開いて下部ユニット１６を筐体１２の前面から前方に引き出すことにより、全ての紙幣収納袋３４に紙幣等を直接投入したり全ての紙幣収納袋３４から紙幣等を取り出したりすることができるようになる。
【００６６】
また、他の態様として、下部ユニット１６において店舗側の権限が割り当てられている紙幣収納袋３４が手前側に設けられるとともに警送会社側の権限が割り当てられている紙幣収納袋３４が奥側に設けられており、カードリーダ５３によって読み取られたＩＤカードに基づいて認証された操作者の権限が例えば店舗のマネージャーや店長等であるときに、店舗側の権限が割り当てられている紙幣収納袋３４にアクセスするという指令を当該操作者が操作表示部５２により入力すると、下部ユニット１６を半分だけ筐体１２から引き出すことができるようになっていてもよい。具体的には、保持部材３６に保持された２つの紙幣収納袋３４のうち、手前側の紙幣収納袋３４は筐体１２の外部に露出するが、奥側の紙幣収納袋３４は筐体１２の内部に納まるように、下部ユニット１６の引き出し位置をロック部６２によって規制する。このように、下部ユニット１６が半分だけ筐体１２から引き出し可能となると、操作者は店舗側の権限が割り当てられている紙幣収納袋３４にアクセスすることができるようになるが警送会社側の権限が割り当てられている紙幣収納袋３４にはアクセスすることができなくなる。
【００６７】
また、本実施の形態による紙幣処理機１０では、各紙幣収納機構３２に設けられている２つの紙幣収納袋３４について、紙幣の収納量が多い側の紙幣収納袋３４に警送会社側の権限が自動で割り当てられ、紙幣の収納量が少ない側の紙幣収納袋３４に店舗側の権限が自動で割り当てられるようになっていてもよい。この場合には、カードリーダ５３によって読み取られたＩＤカードに基づいて認証された操作者の権限が例えば店舗のマネージャーや店長等であるときに、紙幣の収納量が少ない側の紙幣収納袋３４のみについて規制手段６０によるアクセスの規制が解除される。このことにより、店舗のマネージャーや店長等は、店舗側の権限が割り当てられている紙幣収納袋３４にアクセスするという指令を操作表示部５２により入力すると、扉１２ａを開いて下部ユニット１６を筐体１２の前面から前方に引き出すことにより、紙幣の収納量が少ない側の紙幣収納袋３４にアクセスすることができるようになる。このことにより、店舗のマネージャーや店長等は、紙幣の収納量が少ない側の紙幣収納袋３４に、紙幣以外の紙葉類（例えば、商品券や小切手、クーポン券等）を直接投入することができるようになる。
【００６８】
以上のような構成からなる本実施の形態の紙幣処理機１０によれば、紙幣収納袋３４の開口部が開いた状態または紙幣収納袋３４の開口部が封止された状態で収納袋を保持する保持部としての各保持部材３６と、各保持部材３６により保持されている紙幣収納袋３４の開口部を封止する封止部としての各加熱部材３８と、各保持部材３６により保持されている紙幣収納袋３４へのアクセスを選択的に規制する規制手段６０とがそれぞれ設けられており、所定条件が満たされた場合に、開口部が開いた状態で各保持部材３６により保持されている紙幣収納袋３４へのアクセスを許容するよう制御部５０により規制手段６０が制御されるようになっている。このように、所定条件が満たされた場合に、開口部が開いた状態で各保持部材３６により保持されている紙幣収納袋３４へのアクセスを許容することにより、開口部が開いた状態で各保持部材３６により保持されている紙幣収納袋３４へ紙幣等の紙葉類の追加投入を行ったり当該紙幣収納袋３４から紙幣を取り出したりすることができるようになる。
【００６９】
より詳細に説明すると、従来の紙幣処理機では、パウチ袋等の紙幣収納袋を警送会社の警備員等が回収する際に、紙幣収納袋の開口部が封止部により自動的に封止されるようになっている。これに対し、各保持部材により開口部が開いた状態で保持されている紙幣収納袋に、投入部や搬送部、識別部等の上部ユニットを経ることなく紙幣や小切手等の紙葉類を直接入れるような手装填を行いたいという要望が従来からあったが、従来の紙幣処理機ではこのような紙葉類の追加投入を行うことができないという問題があった。また、パウチ袋等の紙幣収納袋を警送会社の警備員等が回収する際に、１つの紙幣収納袋あたりの手数料が決まっているため、店舗側としてはできるだけ多くの紙幣等を紙幣収納袋に詰め込みたいとう要望があったが、従来の紙幣処理機では警送会社の警備員等しか紙幣収納袋にアクセスすることができないため紙幣収納袋に手装填で紙幣をできるだけ多く詰め込むという店舗側の要望に応えることができなかった。一方、紙幣収納袋に紙幣が詰め込まれ過ぎると、各加熱部材により紙幣収納袋の開口部をヒートシールする際に開口部の近傍に存在する紙幣自体が各加熱部材に挟まれることによって紙幣収納袋の開口部の封止が不十分になってしまうことがあった。このため、警送会社の警備員等は、紙幣収納袋の開口部を封止する前に当該紙幣収納袋を事前にチェックし、紙幣収納袋に紙幣が詰め込まれ過ぎている場合には紙幣収納袋から紙幣を少し取り出したいという要望があった。これに対し、本実施の形態による紙幣処理機１０では、所定条件が満たされた場合に、開口部が開いた状態で各保持部材３６により保持されている紙幣収納袋３４へのアクセスが許容されるようになっているため、上述した様々な要望に応えることができるようになる。
【００７０】
また、本実施の形態の紙幣処理機１０においては、上述したように、少なくとも各保持部材３６が設けられ、筐体１２の内部から外部に引き出される引出部として下部ユニット１６が設けられており、規制手段６０は、下部ユニット１６を筐体１２の外部へ引き出すことを規制するロック部６２を含んでいる。ロック部６２は、下部ユニット１６全体が筐体１２に収まった状態で保持するように規制するものでもよい。また、ロック部６２は、下部ユニット１６の保持部材３６により保持されている紙幣収納袋３４に、筐体１２の外部から実質的にアクセスできない状態を保持するように、下部ユニット１６の位置を規制するものでもよい。また、ロック部６２は、筐体１２の内部にあってもよいし、筐体１２の外部にあって、下部ユニット１６の引き出し動作を、筐体１２の外部から規制するものでもよい。そして、制御部５０は、所定条件が満たされた場合に、下部ユニット１６を筐体１２の外部へ引き出すことを許容するようロック部６２を制御するようになっている。この場合には、所定条件が満たされた場合に、操作者は下部ユニット１６を筐体１２の内部から外部に引き出すことにより、下部ユニット１６に設けられている各保持部材３６により開口部が開いた状態で保持されている紙幣収納袋３４にアクセスすることができるようになる。
【００７１】
また、本実施の形態の紙幣処理機１０においては、上述したように、筐体１２に設けられ、引出部としての下部ユニット１６を筐体１２の内部から外部に引き出す際に開かれる扉１２ａが設けられており、規制手段６０は、扉１２ａを閉状態でロックする扉ロック部６４を含んでおり、制御部５０は、所定条件が満たされた場合に、扉１２ａを閉状態とするロックを解除するよう扉ロック部６４を制御するようになっている。この場合には、所定条件が満たされた場合に、操作者は扉１２ａを開いて下部ユニット１６を筐体１２の内部から外部に引き出すことにより、下部ユニット１６に設けられている各保持部材３６により開口部が開いた状態で保持されている紙幣収納袋３４にアクセスすることができるようになる。扉１２ａは、筐体１２の前面に設けられるものに限られることはなく、筐体１２の後面や側面に設けられてもよい。また、複数の保持部材３６を設け、それぞれの保持部材３６に別々の扉１２ａが対応するように複数の扉１２ａを設けてもよい。なお、上述したように、規制手段６０はロック部６２および扉ロック部６４の両方を含むものであってもよく、あるいはロック部６２および扉ロック部６４のうちいずれか一方のものから規制手段６０が構成されていてもよい。後者の場合には、ロック部６２および扉ロック部６４のうち一方のものの設置が省略され、他方のもののみが規制手段６０として紙幣処理機１０に設置されるようになっていてもよい。
【００７２】
また、本実施の形態の紙幣処理機１０においては、上述したように、紙幣を筐体１２の内部に取り込む取込部としての投入部２０と、投入部２０により筐体１２の内部に取り込まれた紙幣を搬送する搬送部２４と、搬送部２４により搬送される紙幣の識別を行う識別部２６とが設けられており、制御部５０は、所定条件が満たされた場合に、投入部２０、搬送部２４および識別部２６を経ずに各保持部材３６により保持されている紙幣収納袋３４に紙幣等の紙葉類を入れることを許容するよう規制手段６０を制御するようになっている。この場合には、各保持部材３６により保持されている紙幣収納袋３４に紙幣等の紙葉類を入れることが許容されたときに、操作者は投入部２０や搬送部２４、識別部２６を経ることなく当該紙幣収納袋３４に紙幣等の紙葉類を直接投入することができるようになる。
【００７３】
また、本実施の形態の紙幣処理機１０においては、上述したように、制御部５０は、投入部２０、搬送部２４および識別部２６を経ずに各保持部材３６により保持されている紙幣収納袋３４に紙幣等の紙葉類を入れるという指令（すなわち、紙幣収納袋３４に紙幣等の紙葉類を直接投入するという指令）が入力されたときに所定条件が満たされたと判断するようになっている。この場合、投入部２０、搬送部２４および識別部２６を経ずに各保持部材３６により保持されている紙幣収納袋３４に紙幣等の紙葉類を入れるという指示を与えるための指示部として操作表示部５２に追加投入ボタンが設けられており、この追加投入ボタンが操作されたときに、投入部２０、搬送部２４および識別部２６を経ずに各保持部材３６により保持されている紙幣収納袋３４に紙幣等の紙葉類を入れるという指令が制御部５０に入力されるようになっていてもよい。
【００７４】
また、本実施の形態の紙幣処理機１０においては、上述したように、投入部２０、搬送部２４および識別部２６を経ずに各保持部材３６により保持されている紙幣収納袋３４に入れられる紙幣等の紙葉類の情報を、操作表示部５２により入力することができるようになっている。この場合には、操作表示部５２は、投入部２０、搬送部２４および識別部２６を経ずに各保持部材３６により保持されている紙幣収納袋３４に入れられる紙幣等の紙葉類の情報を入力するための入力部として機能するようになる。このことにより、紙幣収納袋３４に直接投入された紙幣等の紙葉類の情報を制御部５０が管理することができるようになる。また、本実施の形態では、制御部５０において、投入部２０、搬送部２４および識別部２６を経ずに各保持部材３６により保持されている紙幣収納袋３４に入れられる紙幣等の紙葉類の情報（すなわち、紙幣収納袋３４に直接投入された紙幣等の紙葉類の情報）は、投入部２０、搬送部２４および識別部２６を経て各保持部材３６により保持されている紙幣収納袋３４に入れられる紙幣の情報（すなわち、上述した紙幣の入金処理により紙幣収納袋３４に収納された紙幣の情報）と区別して管理されるようになっている。
【００７５】
また、本実施の形態の紙幣処理機１０においては、上述したように、操作者の権限の認証を行う認証部としてカードリーダ５３が設けられており、制御部５０は、カードリーダ５３により認証された操作者の権限が所定の権限であるときに所定条件が満たされたと判断するようになっていてもよい。なお、操作者の権限の認証を行う認証部はカードリーダ５３に限定されることはない。他の態様として、操作者が操作表示部５２に当該操作者の識別番号およびパスワードを入力することにより操作者の認証が行われるようになっていてもよい。この場合には、操作表示部５２が、操作者の権限の認証を行う認証部として機能するようになる。
【００７６】
また、本実施の形態の紙幣処理機１０においては、上述したように、一対の保持部材３６の組合せ体が複数（具体的には、２組）設けられており、各保持部材３６により保持されている複数（具体的には、２つ）の紙幣収納袋３４の各々に対応して所定条件が設定されており、制御部５０は、各組の保持部材３６により保持されている紙幣収納袋３４の各々について、それぞれ、当該紙幣収納袋３４に対応する所定条件が満たされた場合に、開口部が開いた状態で各保持部材３６により保持されている当該紙幣収納袋３４へのアクセスを許容するよう規制手段６０を制御するようになっている。このことにより、例えば一方の紙幣収納袋３４に対して店舗側の権限を割り当てるとともに他方の紙幣収納袋３４に対して警送会社側の権限を割り当てたときに、店舗側の特定の操作者は店舗側の権限が割り当てられている紙幣収納袋３４のみにアクセスすることができるようになる。
【００７７】
本実施の形態の紙幣処理機１０においては、上述したように、封止部として機能する各加熱部材３８は、開口部が開いた状態で各保持部材３６により保持されている紙幣収納袋３４へのアクセスが許容された場合には、当該紙幣収納袋３４へのアクセスが許容されない場合と異なる態様で紙幣収納袋３４の開口部を封止させるようになっている。この場合には、警送会社の警備員等は、紙幣処理機１０の下部ユニット１６から紙幣収納袋３４を回収する際に、当該紙幣収納袋３４に紙幣等の紙葉類の追加投入が行われたりこの紙幣収納袋３４から紙幣が取り出されたりした可能性があることを容易に認識することができるようになる。
【００７８】
なお、本実施の形態による紙幣処理機１０やこのような紙幣処理機１０による紙幣の処理方法は、上述したような態様に限定されることはなく、様々な変更を加えることができる。
【００７９】
例えば、各保持部材３６により保持されている紙幣収納袋３４へのアクセスを選択的に規制する規制手段６０は、下部ユニット１６を筐体１２の内部でロックするロック部６２や扉１２ａを閉状態でロックする扉ロック部６４に限定されることはない。各保持部材３６により保持されている紙幣収納袋３４へのアクセスを選択的に規制することができるものであれば、規制手段６０として上述したロック部６２や扉ロック部６４以外のものが用いられてもよい。
【００８０】
また、開口部が開いた状態で各保持部材３６により保持されている紙幣収納袋３４へのアクセスを許容するか否かの判断を行う際の所定条件は、投入部２０や搬送部２４、識別部２６を経ずに各保持部材３６により保持されている紙幣収納袋３４に紙幣等の紙葉類を直接投入するという指令が入力されることや、カードリーダ５３等の認証部により認証された操作者の権限が所定の権限であることに限定されることはない。開口部が開いた状態で各保持部材３６により保持されている紙幣収納袋３４へのアクセスを許容するか否かの判断を行う際の所定条件として、上述した条件以外のものが用いられてもよい。
【００８１】
また、本発明に係る紙葉類収納装置は、図１乃至図７に示すような紙幣処理機１０に限定されることはない。本発明に係る紙葉類収納装置として、図８乃至図１０に示すような紙幣入金機１１０が用いられてもよい。このような紙幣入金機１１０の構成について図８乃至図１０を用いて以下に説明する。なお、図８は、本発明に係る他の構成の紙幣入金機１１０の外観を示す斜視図であり、図９は、図８に示す紙幣入金機１１０の内部構成を示す側面図である。また、図１０は、図８等に示す紙幣入金機１１０の制御系の構成を示す機能ブロック図である。
【００８２】
図８および図９に示すように、紙幣入金機１１０は、筐体１１０ａと、筐体１１０ａの上部に設けられて複数の紙幣Ｐが載置される載置部１２０と、載置部１２０に載置された複数の紙幣Ｐを１枚ずつ筐体１１０ａ内に取り込む受入部１２５と、受入部１２５により取り込まれた紙幣Ｐを搬送する搬送部１３０と、搬送部１３０で搬送された紙幣Ｐを集積する集積部１６０と、搬送部１３０に設けられ、当該搬送部１３０で搬送される紙幣Ｐの金種や真偽等を識別するとともに計数する識別部１４０とを備えている。
【００８３】
このうち、受入部１２５は、図９に示すように、載置部１２０に載置された複数の紙幣Ｐのうち最も下方に位置する紙幣Ｐを１枚ずつ蹴り出すキッカローラ１２６と、紙幣Ｐの繰出方向においてキッカローラ１２６の下流側に配置され、キッカローラ１２６により蹴り出された紙幣Ｐを筐体１１０ａの内部へ１枚ずつ繰り出すフィードローラ１２７ａとを有している。また、フィードローラ１２７ａに対向してゲートローラ１２７ｂ（逆転ローラ）が設けられており、フィードローラ１２７ａとゲートローラ１２７ｂとの間にゲート部が形成されている。
【００８４】
また、図９に示すように、搬送部１３０は、紙幣Ｐを搬送する搬送ベルト１３１、搬送ローラ１３２等で構成されている。また、搬送部１３０の最下流部で、集積部１６０近傍には、搬送部１３０で搬送された紙幣Ｐを１枚毎に羽根１３５ａの間で受け止めて集積部１６０に整列集積させる羽根車１３５が設けられている。
【００８５】
また、図９に示すように、搬送部１３０には、異常時に、集積部１６０に搬送されない紙幣Ｐが搬送されるリジェクト部１６５が設けられている。ここで言う異常とは、識別異常および搬送異常を意味している。識別異常とは、識別部１４０で識別された情報が後述する制御部１５０に予め記憶された情報と一致しない場合のことを意味している。そして、このような識別異常としては、例えば、識別された紙幣Ｐが予定していた種類（例えば、金種や正損等）と異なる種類の紙幣Ｐであると識別されたときや、そもそも紙幣Ｐの種類を識別することができなかったときなどを挙げることができる。また、搬送異常とは、搬送部１３０によって紙幣Ｐを搬送する際の異常を意味している。そして、このような搬送異常としては、例えば、紙幣Ｐが斜めに搬送されている場合（斜行）や、複数の紙幣Ｐが所定の間隔を隔てないで搬送されている場合（連鎖）、複数の紙幣Ｐが重なって搬送されている場合（重送）などを挙げることができる。
【００８６】
また、図９に示すように、集積部１６０は、集積紙幣Ｐを前面側に傾斜させた状態で集積させる形状となっており、搬送部１３０から送られた紙幣Ｐを支持部１６４で支持させることで、前面側に傾斜させた立位状態で紙幣Ｐを集積するように構成されている。なお、図８および図９に示す紙幣入金機１１０において前面側とは、操作者が紙幣Ｐを載置部１２０に載置したり、集積部１６０から紙幣Ｐを取り出したりする側のことを意味し、図９の右側のことを意味している。他方、図８および図９に示す紙幣入金機１１０において後面側とは、前面側と反対側を意味し、図９の左側のことを意味している。
【００８７】
また、図８および図９に示すように、集積部１６０の前面側には、集積された紙幣Ｐを外部から取り出すための前面開口を開閉するシャッタ機構１６２が設けられている。このシャッタ機構１６２は、後述する制御部１５０によって、少なくとも挟持搬送機構１７０（後述）によって紙幣Ｐを紙幣収納機構１７２（後述）へ搬送しているときに開放不可能となるように制御されている。
【００８８】
また、図８および図９に示す紙幣入金機１１０の下部には収納筐体１８０が設けられており、この収納筐体１８０の内部には、一方に開口部が設けられたパウチ袋等の紙幣収納袋１７４の内部に紙幣を収納させるための紙幣収納機構１７２が設けられている。ここで、図８および図９に示す紙幣入金機１１０における紙幣収納機構１７２は、図３乃至図５に示す紙幣収納機構３２と略同一の構成となっている。具体的には、紙幣収納機構１７２には一対の保持部材１７６が互いに対向するよう離間して設けられており、紙幣収納袋１７４の開口部の近傍における互いに対向する２つの箇所が各保持部材１７６によりそれぞれ保持されるようになっている。ここで、ある保持部材１７６（具体的には、例えば図９における右側の保持部材１７６）はその位置が固定されているのに対し、別の保持部材１７６（具体的には、例えば図９における左側の保持部材１７６）は位置固定の保持部材１７６に向かって移動することができるようになっている。また、図９に示すように、各保持部材１７６にはそれぞれ加熱部材１７８が設けられている。そして、紙幣収納機構１７２において各保持部材１７６により保持された紙幣収納袋１７４に所定量の紙幣が収納された後、当該紙幣収納袋１７４が紙幣収納機構１７２から取り出される前に、一方の保持部材１７６が他方の保持部材１７６に向かって移動してこれらの保持部材１７６が互いに接合した状態で、加熱部材１７８によって紙幣収納袋１７４の開口部の近傍の箇所に熱が与えられることにより当該紙幣収納袋１７４の開口部はヒートシール（熱封止）されるようになっている。なお、紙幣収納機構１７２において、一対の保持部材１７６のうちある１つの保持部材１７６が他の保持部材１７６に向かって移動する代わりに、両方の保持部材１７６がそれぞれ他の保持部材１７６に向かって中央位置まで移動してこれらの保持部材１７６が中央位置で互いに接合するようになっていてもよい。
【００８９】
また、図９に示すように、集積部１６０には、当該集積部１６０に集積された紙幣Ｐの表面を挟持し、その表面と平行な方向へ当該紙幣Ｐを搬送することで、紙幣収納機構１７２の各保持部材１７６により保持されている紙幣収納袋１７４へ紙幣Ｐを収納させる挟持搬送機構１７０が設けられている。より具体的には、挟持搬送機構１７０は、集積部１６０に集積された複数の紙幣Ｐのうち最も前面側に位置する紙幣Ｐの表面と最も後面側に位置する紙幣Ｐの表面とを挟持し、当該複数の紙幣Ｐを一括して紙幣収納機構１７２へ搬送することができるように構成されている（図９の矢印Ｂ１参照）。
【００９０】
図８に示すように、収納筐体１８０の前面には扉１８４が設けられており、この扉１８４を開けることにより、紙幣収納機構１７２の各保持部材１７６に紙幣収納袋１７４を保持させたり各保持部材１７６により保持されている紙幣収納袋１７４を収納筐体１８０の外部に取り出したりすることができるようになっている。より詳細には、扉１８４には把手１８２および電磁キー（図示せず）が設けられており、制御的に電磁キーを解錠し、把手１８２を回して扉１８４を開くようになっている。収納筐体１８０からの紙幣収納袋１７４の回収は、警送会社の警備員等により行われるようになっている。警送会社の警備員等により収納筐体１８０から回収された紙幣収納袋１７４は、警送会社の現金センターへ移送されるようになっている。
【００９１】
次に、紙幣入金機１１０に紙幣を投入した場合の紙幣の流れや、外部から投入される有価媒体の流れを簡単に説明する。紙幣入金機１１０に紙幣を投入する際に、載置部１２０に複数の紙幣が載置されると、受入部１２５によって紙幣が１枚ずつ筐体１１０ａの内部に取り込まれ、識別部１４０によって識別された後、集積部１６０やリジェクト部１６５へ送られる。その後、集積部１６０に集積された紙幣は、紙幣収納機構１７２の各保持部材１７６により保持されている紙幣収納袋１７４に収納される。また、紙幣入金機１１０に有価媒体を投入する際には、集積部１６０のシャッタ機構１６２が開放され、有価媒体が入った封筒を集積部１６０にセットすると、有価媒体が入った封筒は紙幣収納機構１７２の各保持部材１７６により保持されている紙幣収納袋１７４に収納されるようになる。
【００９２】
このように、図８および図９に示す紙幣入金機１１０では、紙幣収納機構１７２の各保持部材１７６により保持されている紙幣収納袋１７４には紙幣Ｐおよび有価媒体が混合状態で収納されるようになっている。また、紙幣収納袋１７４に収納された紙幣Ｐおよび有価媒体は、店舗の管理権限下ではなく警送会社の管理権限下となる。
【００９３】
また、図８に示すように、紙幣入金機１１０の筐体１１０ａには、所定の情報を表示する機能およびデータ入力を可能とする機能を有する表示入力部１１５が設けられている。表示入力部１１５は、紙幣Ｐの計数結果等を表示するモニタ１１５ａと、操作者が様々な指令を入力するための複数の入力キー１１５ｂとから構成されている。モニタ１１５ａには、例えば、紙幣収納袋１７４に収納された紙幣Ｐの金種毎の枚数等が表示されるようになっている。また、複数の入力キー１１５ｂは、メニューキー、交換キー、クリアキー、確定キー、上下左右各方向の矢印キー、シフトキー、モードキー、締めキー、回収キー、スタート／ストップキー等から構成されている。
【００９４】
また、図８に示すように、紙幣入金機１１０の筐体１１０ａには、紙幣Ｐの計数結果等を印字するプリンター１１６や、後述する制御部１５０に対して操作者が様々な入力を行うためのテンキー１１７、操作者の識別情報を得るために当該操作者が保持するＩＤカードの読み取りを行うカードリーダ１１８がそれぞれ設けられている。
【００９５】
また、図８および図９に示す紙幣入金機１１０には、図１０に示すような制御部１５０が設けられており、この制御部１５０が、紙幣入金機１１０の各構成部材を制御するようになっている。図１０に示すように、制御部１５０には、受入部１２５、搬送部１３０、識別部１４０、シャッタ機構１６２、挟持搬送機構１７０、紙幣収納機構１７２、表示入力部１１５、プリンター１１６、テンキー１１７、カードリーダ１１８等がそれぞれ接続されている。そして、識別部１４０により識別計数された紙幣Ｐの識別計数情報は制御部１５０に送られるようになっている。また、表示入力部１１５の各入力キー１１５ｂやテンキー１１７により入力された操作者からの様々な指令は制御部１５０に送られるようになっている。また、カードリーダ１１８により読み取られた操作者の識別情報等も制御部１５０に送られるようになっている。また、制御部１５０は、受入部１２５、搬送部１３０、シャッタ機構１６２、挟持搬送機構１７０、紙幣収納機構１７２、表示入力部１１５、プリンター１１６等の各構成部材に指令信号を送り、これらの構成部材の制御を行うようになっている。
【００９６】
また、図１０に示すように、制御部１５０には記憶部１５４が接続されている。記憶部１５４には、紙幣入金機１１０を特定する装置の識別情報や同装置を利用可能な操作者の識別情報等の事前に設定される情報や、紙幣Ｐの計数結果等が記憶されるようになっている。
【００９７】
また、図１０に示すように、制御部１５０には通信インターフェース部１５６が接続されており、この通信インターフェース部１５６を介して制御部１５０は外部装置に対して信号の送受信を行うことができるようになっている。
【００９８】
次に、このような構成からなる紙幣入金機１１０の動作について説明する。
【００９９】
まず、操作者は、紙幣Ｐの入金処理を行う旨の指令を表示入力部１１５によって制御部１５０に入力する。より具体的には、操作者は、表示入力部１１５によって「計数入金」のコマンドを選択する。この際に、表示入力部１１５の各入力キー１１５ｂやテンキー１１７、またはカードリーダ１１８を用いて操作者の識別情報も制御部１５０に入力する。そして、このような信号を制御部１５０が受け取ると、当該制御部１５０によって、シャッタ機構１６２は開放不可能となるように制御される。次に、操作者によって、載置部１２０に複数の紙幣Ｐが載置されると、受入部１２５によって、載置部１２０に載置された複数の紙幣Ｐが一枚ずつ機内に取り込まれる。このとき、キッカローラ１２６によって載置部１２０に載置された複数の紙幣Ｐのうち最も下方に位置する紙幣Ｐが蹴り出されるとともに、フィードローラ１２７ａによって繰り出され、ゲートローラ１２７ｂの作用により紙幣Ｐが１枚ずつ繰り出される。
【０１００】
次に、搬送部１３０によって、受入部１２５で取り込まれた紙幣Ｐが搬送される。このとき、搬送部１３０に設けられた識別部１４０によって、搬送部１３０で搬送される紙幣Ｐが識別計数される。このように搬送部１３０で紙幣Ｐが搬送されているときに識別異常や搬送異常が発生した場合には、当該紙幣Ｐはリジェクト部１６５へと搬送される。他方、このような識別異常や搬送異常が発生しない場合には、搬送されている紙幣Ｐは集積部１６０に搬送される。集積部１６０へ紙幣Ｐが搬送される際には、当該紙幣Ｐは、羽根車１３５の羽根１３５ａの間で受け止められて集積部１６０に整列集積される。そして、羽根車１３５によって搬送された紙幣Ｐは、集積部１６０内で、前面側に傾斜させた立位状態で集積されることとなる。表示入力部１１５には、集積部１６０内に集積された紙幣Ｐの合計金額が表示されるようになる。また、識別結果（金種別の枚数や合計金額等）が操作者の識別情報と紐付けられて記憶部１５４に記憶される。
【０１０１】
上述のようにして、載置部１２０に載置された複数の紙幣Ｐの全てが集積部１６０に搬送されて、載置部１２０に紙幣Ｐが存在しなくなると、集積部１６０に集積された紙幣Ｐの合計金額に対する承認指示を求める表示が表示入力部１１５に表示される。そして、操作者により承認指示が表示入力部１１５から入力されると（具体的には、操作者が表示入力部１１５の確定キーを押下すると）、集積部１６０に集積された複数の紙幣Ｐが、挟持搬送機構１７０によって、紙幣収納機構１７２の各保持部材１７６により保持されている紙幣収納袋１７４に収納される（図９の矢印Ｂ１参照）。紙幣Ｐが紙幣収納袋１７４に収納されると、紙幣収納袋１７４内の紙幣Ｐは店舗の管理権限下ではなく警送会社の管理権限下となる。なお、リジェクト部１６５に紙幣Ｐが存在する場合には、操作者が、その紙幣Ｐを再度、載置部１２０に載置して、前述と同様の工程が繰り返されて、全ての紙幣Ｐが集積部１６０へ搬送されるようにする。しかしながら、何度やってもリジェクト部１６５に搬送される紙幣Ｐについては、受付できない紙幣Ｐとして判断されて収納対象から除かれる。また、操作者が合計金額を承認できない場合には、返却指示を表示入力部１１５により入力する。この場合には、シャッタ機構１６２が開放されて集積紙幣Ｐを集積部１６０から取り出し可能となり（図９の矢印Ｂ２参照）、集積部１６０に集積された紙幣Ｐが操作者により筐体１１０ａの前面から取り出されると、処理が終了される。
【０１０２】
次に、紙幣入金機１１０において紙幣の回収処理を行う際の動作について説明する。警送会社の警備員等が、紙幣が収納されている紙幣収納袋１７４を紙幣入金機１１０から回収するにあたり、当該警備員はまず制御的に電磁キーを解錠し、次に把手１８２を回して扉１８４を開く。また、警備員が電磁キーを解錠すると、紙幣収納機構１７２において各保持部材１７６により保持されている紙幣収納袋１７４の開口部が各加熱部材１７８によりヒートシール（熱封止）される。そして、警備員は扉１８４を開いた後、各保持部材１７６から紙幣収納袋１７４を取り外すことにより、この紙幣収納袋１７４を収納筐体１８０の外部に取り出して回収することができるようになる。上述したように、警送会社の警備員等により収納筐体１８０から回収された紙幣収納袋１７４は、警送会社の現金センターへ移送されるようになる。
【０１０３】
次に、紙幣入金機１１０の識別部１４０で識別できない損券・損貨や、商品券、小切手等の現金以外の有価媒体を、紙幣収納機構１７２の各保持部材１７６により保持されている紙幣収納袋１７４に直接投入する動作について説明する。なお、以下に示す動作は、明示しない限り制御部１５０から各構成部材へ送られる信号に基づいて行われる。
【０１０４】
まず、操作者によって、紙幣Ｐ以外の有価媒体を紙幣収納袋１７４に収納する旨の指令を表示入力部１１５によって制御部１５０に入力する。より具体的には、操作者は、表示入力部１１５によって「有価媒体入金（現金以外の入金）」のコマンドを選択する。この際に、表示入力部１１５の各入力キー１１５ｂやテンキー１１７、またはカードリーダ１１８を用いて操作者の識別情報も制御部１５０に入力する。そして、操作者は、表示入力部１１５の各入力キー１１５ｂやテンキー１１７により、有価媒体に係る情報、具体的には有価媒体の金額等を制御部１５０に入力し、確定キーを押下する。そうすると、プリンター１１６により、操作者によって制御部１５０に入力された有価媒体に係る情報がジャーナルに印字される。また、このときに、当該制御部１５０によって、シャッタ機構１６２が開放され、有価媒体が入った封筒を集積部１６０に入れることができるようになる。
【０１０５】
その後、操作者が、有価媒体が入った封筒、および有価媒体の情報が印字されたジャーナルを集積部１６０にセットし、確定キーを押下すると、シャッタ機構１６２が閉止する。そして、集積部１６０にセットされた、有価媒体が入った封筒およびジャーナルが、挟持搬送機構１７０によって、紙幣収納機構１７２の各保持部材１７６により保持されている紙幣収納袋１７４に収納される（図９の矢印Ｂ１参照）。また、有価媒体が入った封筒が紙幣収納袋１７４内に収納されると、紙幣収納袋１７４内の有価媒体は店舗の管理権限下ではなく警送会社の管理権限下となる。このようにして、有価媒体を紙幣収納袋１７４に収納させる動作が終了する。
【０１０６】
なお、図８乃至１０に示す紙幣入金機１１０では、金額に紐付けられる有価媒体以外に、金額に紐付けられない媒体も紙幣収納袋１７４に収納させることができるようになっていてもよい。具体的には、金額に紐付けられない媒体として、例えば店舗の売上伝票、店舗が発行している割引券やサービス券、当日以外の売上金が印字されたジャーナル、あるいは店舗と警送会社との間で行き来するレターや連絡帳等が、紙幣収納袋１７４に収納されるようになっていてもよい。この場合には、これらの媒体が紙幣収納袋１７４とともに店舗から警送会社まで送られたり、警送会社から店舗まで送られたりするようになる。このような金額に紐付けられない媒体も、シャッタ機構１６２を開放することにより、受入部１２５や搬送部１３０、識別部１４０を経ることなく筐体１１０ａの前面から紙幣収納袋１７４に直接投入することができるようになっている。
【０１０７】
図８乃至１０に示す紙幣入金機１１０では、シャッタ機構１６２は、各保持部材１７６により保持されている紙幣収納袋１７４の開口部と筐体１１０ａの外部との間の連通路を開閉する開閉部として機能するようになっている。また、このようなシャッタ機構１６２は、各保持部材１７６により保持されている紙幣収納袋１７４へのアクセスを選択的に規制する規制手段として用いられるようになっている。そして、制御部１５０は、所定条件が満たされた場合に、開口部が開いた状態で各保持部材１７６により保持されている紙幣収納袋１７４へのアクセスを許容するよう規制手段としてのシャッタ機構１６２を制御するようになっている。より詳細には、上述したように、表示入力部１１５によって「有価媒体入金（現金以外の入金）」のコマンドが選択されることにより、受入部１２５や搬送部１３０、識別部１４０を経ずに各保持部材１７６により保持されている紙幣収納袋１７４に有価媒体等を直接投入するという指令が入力されると、制御部１５０において所定条件が満たされたと判断されるようになり、開口部が開いた状態で各保持部材１７６により保持されている紙幣収納袋１７４へのアクセスを許容するようシャッタ機構１６２が開かれる。また、表示入力部１１５の各入力キー１１５ｂやテンキー１１７、またはカードリーダ１１８を用いることにより認証された操作者の権限が所定の権限（例えば、店舗の店長やマネージャー等）である場合に、制御部１５０において所定条件が満たされたと判断され、開口部が開いた状態で各保持部材１７６により保持されている紙幣収納袋１７４へのアクセスを許容するようシャッタ機構１６２が開かれるようになっていてもよい。このように、制御部１５０は、所定条件が満たされた場合に、受入部１２５、搬送部１３０および識別部１４０を経ずに各保持部材１７６により保持されている紙幣収納袋１７４に有価媒体等を直接投入することを許容するよう規制手段としてのシャッタ機構１６２を制御するようになっている。
【０１０８】
また、図８乃至１０に示す紙幣入金機１１０において、受入部１２５、搬送部１３０および識別部１４０を経ずに各保持部材１７６により保持されている紙幣収納袋１７４に直接投入される有価媒体等の情報を、表示入力部１１５の各入力キー１１５ｂやテンキー１１７により入力することができるようになっていてもよい。このことにより、紙幣収納袋１７４に直接投入された有価媒体等の情報を制御部１５０が管理することができるようになる。また、制御部１５０において、受入部１２５、搬送部１３０および識別部１４０を経ずに各保持部材１７６により保持されている紙幣収納袋１７４に直接投入される有価媒体等の情報が、受入部１２５、搬送部１３０および識別部１４０を経て各保持部材１７６により保持されている紙幣収納袋１７４に入れられる紙幣の情報（すなわち、紙幣の入金処理により紙幣収納袋１７４に収納された紙幣の情報）と区別して管理されるようになっていてもよい。
【０１０９】
また、紙幣収納機構１７２において、シャッタ機構１６２が開かれることにより開口部が開いた状態で各保持部材１７６により保持されている紙幣収納袋１７４へのアクセスが許容された場合には、当該紙幣収納袋１７４へのアクセスが許容されない場合と異なる態様で各加熱部材１７８により紙幣収納袋１７４の開口部が封止されるようになっていてもよい。具体的には、開口部が開いた状態で各保持部材１７６により保持されている紙幣収納袋１７４へのアクセスが許容された場合には、各加熱部材１７８により紙幣収納袋１７４の開口部が封止される際に、特定の文字や印が封止箇所の近傍に形成されたり、複数の箇所で紙幣収納袋１７４の開口部が封止されたりするようになっていてもよい。この場合には、警送会社の警備員等は、紙幣入金機１１０の収納筐体１８０から紙幣収納袋１７４を回収する際に、当該紙幣収納袋１７４に有価媒体等の追加投入が行われたりこの紙幣収納袋１７４から紙幣が取り出されたりした可能性があることを容易に認識することができるようになる。また、他の例として、シャッタ機構１６２が開かれることにより開口部が開いた状態で各保持部材１７６により保持されている紙幣収納袋１７４へのアクセスが許容され、受入部１２５、搬送部１３０および識別部１４０を経ることなくこの紙幣収納袋１７４に直接投入された有価媒体等の情報が操作者によって表示入力部１１５の各入力キー１１５ｂやテンキー１１７により入力された場合には、各加熱部材１７８により紙幣収納袋１７４の開口部が封止される際に、紙幣収納袋１７４に有価媒体等が投入された旨を示す文字や印が封止箇所の近傍に形成されるようになっていてもよい。
【０１１０】
以上のように、図８乃至図１０に示す紙幣入金機１１０でも、図１乃至図７に示す紙幣処理機１０と同様に、紙幣収納袋１７４の開口部が開いた状態または紙幣収納袋１７４の開口部を封止した状態で収納袋を保持する保持部としての各保持部材１７６と、各保持部材１７６により保持されている紙幣収納袋１７４の開口部を封止させる封止部としての各加熱部材１７８と、各保持部材１７６により保持されている紙幣収納袋１７４へのアクセスを選択的に規制する規制手段としてのシャッタ機構１６２とがそれぞれ設けられており、所定条件が満たされた場合に、開口部が開いた状態で各保持部材１７６により保持されている紙幣収納袋１７４へのアクセスを許容するよう制御部１５０により規制手段としてのシャッタ機構１６２が制御されるようになっている。このように、所定条件が満たされた場合に、開口部が開いた状態で各保持部材１７６により保持されている紙幣収納袋１７４へのアクセスを許容することにより、開口部が開いた状態で各保持部材１７６により保持されている紙幣収納袋１７４へ有価媒体等の紙葉類の追加投入や当該紙幣収納袋１７４からの紙幣の取り出しを行うことができるようになる。
【０１１１】
また、本発明に係る紙葉類処理装置は、図１乃至図７に示す紙幣処理機１０や図８乃至図１０に示す紙幣入金機１１０のような紙幣の処理を行うものに限定されることはない。本発明に係る紙葉類処理装置として、紙幣以外の紙葉類（例えば、商品券、小切手、クーポン券等）の処理を行うものが用いられてもよい。
【符号の説明】
【０１１２】
１０      紙幣処理機
１２      筐体
１２ａ    扉
１４      上部ユニット
１６      下部ユニット
２０      投入部
２０ａ    紙幣繰出機構
２２      投出部
２２ａ    羽根車
２２ｂ    羽根車駆動部
２４      搬送部
２５      分岐搬送部
２６      識別部
３０      収納繰出部
３０ａ    ドラム
３１      テープ
３２      紙幣収納機構
３４      紙幣収納袋
３４ａ    突出部
３４ｂ    孔
３６      保持部材
３６ａ    ピン
３６ｋ    枠体
３６ｐ    ガイドピン
３６ｑ    長穴
３７      パンタグラフ
３８      加熱部材
３９      レバー
３９ａ    レバー駆動部
４０      ステージ
４１      ステージ駆動部
４２      加熱部材
４４      一時保留部
４４ａ    軸
４６      押し込み板
４７      パンタグラフ
４８      紙幣送り出し部
５０      制御部
５２      操作表示部
５３      カードリーダ
５４      記憶部
５６      印字部
５８      通信インターフェース部
６０      規制手段
６２      ロック部
６４      扉ロック部
１１０    紙幣入金機
１１０ａ  筐体
１１５    表示入力部
１１５ａ  モニタ
１１５ｂ  入力キー
１１６    プリンター
１１７    テンキー
１１８    カードリーダ
１２０    載置部
１２５    受入部
１２６    キッカローラ
１２７ａ  フィードローラ
１２７ｂ  ゲートローラ
１３０    搬送部
１３１    搬送ベルト
１３２    搬送ローラ
１３５    羽根車
１３５ａ  羽根
１４０    識別部
１５０    制御部
１５４    記憶部
１５６    通信インターフェース部
１６０    集積部
１６２    シャッタ機構
１６４    支持部
１６５    リジェクト部
１７０    挟持搬送機構
１７２    紙幣収納機構
１７４    紙幣収納袋
１７６    保持部材
１７８    加熱部材
１８０    収納筐体
１８２    把手
１８４    扉
【図１】
2018045618.tif 000003
【図２】
2018045618.tif 000004
【図３】
2018045618.tif 000005
【図４】
2018045618.tif 000006
【図５】
2018045618.tif 000007
【図６】
2018045618.tif 000008
【図７】
2018045618.tif 000009
【図８】
2018045618.tif 000010
【図９】
2018045618.tif 000011
【図１０】
2018045618.tif 000012